(57)【要約】【課題】遊技盤を構成するベニヤ板に形成した透光穴を介して光源からの光を前方に照射すると共に、この透光穴を塞ぐセルシートに電飾図柄を表示することによって透光穴の内側からの光源光によって電飾図柄を発光させるようにしたパチンコ遊技機において、透光穴の内壁による光の減衰や乱反射によって出射光が光量不足や過剰拡散に陥ることによって電飾図柄の輪郭形状が不明瞭化する不具合を解決する。【解決手段】透光穴１５内に挿着される導光部材２１は、導光部材本体２２と、導光部材本体の出射面に設けられた所要形状の透光領域２３と、該透光領域を除いた該出射面、及び入射面を除いた他の外面を被覆する非透光領域２４と、を備え、非透光領域は、導光部材本体外面を被覆する反射層２５と、該反射層全体を被覆する遮光層２６と、を備えている。【選択図】図２
2008043453.tif 000002
【特許請求の範囲】
【請求項１】
軸方向両端面に夫々入射面と出射面とを備えた透光材料から成る導光部材と、該導光部材を内部に収容する透光穴を貫通形成した基材、及び該基材前面に添設されたシート材を備えた遊技盤と、前記透光穴内に収容された前記導光部材の入射面に光を入射させる光源と、前記透光穴の出射側開口と対面する前記シート材部分に形成された透光性を有した電飾図柄と、を備えたパチンコ遊技機において、
前記導光部材は、透光材料から成る導光部材本体と、該導光部材本体の出射面に設けられた透光領域と、該透光領域及び前記入射面を除いた導光部材本体外面を被覆する非透光領域と、を備え、
前記非透光領域は、前記導光部材本体外面を被覆する反射層と、該反射層を被覆する遮光層と、を備えていることを特徴とする電飾装置。
【請求項２】
前記導光部材は、複数の前記導光部材本体と、各導光部材本体を連設一体化する透光材料から成る連設板と、該連設板の外側面を被覆する前記非透光領域と、前記各導光部材本体の入射面を除いた前記連設板の内側面を被覆する前記非透光領域と、を備えていることを特徴とする請求項１に記載の電飾装置。
【請求項３】
前記反射層は白色であり、前記遮光層は黒色であることを特徴とする請求項１又は２に記載の電飾装置。
【請求項４】
前記反射層及び前記遮光層は、前記導光部材本体の外面に順次塗布された塗膜であることを特徴とする請求項１、２又は３に記載の電飾装置。
【請求項５】
前記導光部材本体の入射面、又は／及び、出射面には、光拡散層が配置されていることを特徴とする請求項１乃至４の何れか一項に記載の電飾装置。
【請求項６】
前記導光部材本体と前記透光穴内壁との間には低摩擦抵抗材料から成る介挿部材が配置されており、前記反射層、及び／又は、前記遮光層は、前記介挿部材の内壁に形成されていることを特徴とする請求項１乃至５の何れか一項に記載の電飾装置。
【請求項７】
前記導光部材本体と前記透光穴内壁との間には低摩擦抵抗材料から成る介挿部材が配置されており、前記介挿部材を構成する材料自体が前記遮光層を構成していることを特徴とする請求項１乃至５の何れか一項に記載の電飾装置。
【請求項８】
前記導光部材本体は、前記透光穴の軸方向長よりも短尺な第１の導光片と、該第１の導光片の出射面に連設配置される第２の導光片と、を備え、
前記第２の導光片の入射側端面、又は／及び、出射側端面には、光拡散層が配置されていることを特徴とする請求項６又は７に記載の電飾装置。
【請求項９】
前記光拡散層は、サンドブラス、ダイヤカット、或いはディンプルカットの少なくとも一つの加工法によって形成されていることを特徴とする請求項５又は８に記載の電飾装置。
【請求項１０】
前記導光部材は、その端面形状が前記電飾図柄の発光領域と略同等の形状、寸法に設定された筒状体から成る前記導光部材本体を備えていることを特徴とする請求項１乃至９の何れか一項に記載の電飾装置。
【請求項１１】
前記各導光部材の入射面と夫々対向配置された光源と、各光源を支持するプリント基板と、を備えたことを特徴とする請求項１乃至１０の何れか一項に記載の電飾装置。
【請求項１２】
請求項１乃至１１の何れか一項に記載の電飾装置を備えたことを特徴とする遊技盤。
【請求項１３】
請求項１２に記載の遊技盤を備えたことを特徴とするパチンコ遊技機。
【請求項１４】
前記遊技盤面に形成した取付け孔内に嵌合される可変表示装置を支持するために前記遊技盤の裏面に固定される可変表示装置ベースを備えたパチンコ遊技機において、
請求項１乃至１１の何れか一項に記載された電飾装置を構成するプリント基板を前記可変表示装置ベースにより支持したことを特徴とするパチンコ遊技機。
【発明の詳細な説明】
【技術分野】
【０００１】
本発明は、遊技盤面に貫通形成した透光穴内に配置した導光部材を介して光源からの光を前方に照射して電飾効果を発揮させる際に、透光穴開口に配置した電飾図柄の輪郭形状が明瞭に投影されるようにすると共に、射出成形時に導光部材中に形成された気泡の存在を視認し難くしたパチンコ遊技機における電飾装置、及びパチンコ遊技機に関する。
【背景技術】
【０００２】
パチンコ機、アレンジボール等の遊技機においては、従来から、単なる照明効果のみならず、遊技盤上における遊技状態の変化等の状況変化を視覚的に表現、報知したり、遊技進行上での電飾効果を図る等の目的から、盤面上、その他任意の部位にＬＥＤランプやフィラメント式ランプ等の発光装置を配置している。
この種のパチンコ遊技機として、例えば遊技盤の遊技領域に形成した開口部内に、複数の発光素子を前面に搭載したプリント基板を配置するとともに、開口部の前面を閉止するように盤面に透光性のカバー部材を取り付けたり、透光性を有するセルシートを貼付した電飾部を備えたものがある。これによれば、電飾部が遊技盤面より突出せず同一平面となっているため、電飾部によって遊技領域を流下する遊技球の正常な動作が妨げられる虞がなく、また電飾部が遊技盤面に対して突出している従来タイプと比較して遊技球が流下、或いは転動するスペースを広く確保することができるため、限られた遊技領域を有効に活用することができる。
【０００３】
特許文献１乃至３には、夫々半透明セルシートによって盤面（ベニヤ板面）に貫通形成した透光穴を閉止すると共に、この透光穴の内部に配置したＬＥＤ等の光源からの光によってセルシートに形成した所要の電飾図柄を発光させるようにした遊技機が開示されている。電飾図柄は、セルシートの一部を光が透過し得る透光部とすることにより、光源からの発光により電飾図柄の線図、輪郭線を視認できるように構成したものである。
このような電飾装置においては、例えば、電飾図柄を構成する線図や輪郭線が光によって浮き出てその形状を明確に視認できるようにする工夫が種々なされているが、実際には、光源からの光がベニヤ板に形成した透光穴の内壁で吸収されて減衰しやすいためにセルシート内を透過して前方へ出射する際に光量が低下したり、不均一化したり、或いは内壁での乱反射により出射方向が過剰に拡散して電飾図柄だけを集中して照光できない状態となる。このため、セルシートに描いた電飾図柄は輪郭線がはっきりしないぼけた状態となりやすかった。
【０００４】
次に、図１１は他の電飾装置の構成を示す断面図であり、この電飾装置は透孔穴１０２を備えたベニヤ板１０１の表面にセルシート１０３を接合した構成を有する遊技盤１００と、この透光穴１０２内に嵌合する透明プラスチック製の筒状の導光部材１０５と、遊技盤１００の背面側に配置されたプリント基板１１０上の導光部材１０５の入射面と対向する位置に配置されたＬＥＤ１１１と、を備えている。
導光部材１０５の出射面が対面するセルシート１０３の電飾図柄部分１０３ａは、他のセルシート部分よりも部分的に透光性が高くなるように構成されており、図柄を構成する線図、輪郭線等がＬＥＤ１１１からの光によってある程度明瞭に視認できるように配慮されている。この電飾装置によれば、ＬＥＤの消灯時には光源や透孔（電飾図柄）の存在を明確に視認できないセルシート部分（電側図柄）が、ＬＥＤの点灯によって発光して突如クローズアップされるという意外性を含んだ演出上の効果を発揮することができる。
【０００５】
この電飾装置にあっては透明プラスチック等の透光材料から成る導光部材１０５内にＬＥＤからの光が導かれて出射端面側からセルシートの電飾図柄１０３ａに向けて出射されるため、盤面に設けた透光穴内に光源を直接収容したタイプの上記各従来例に比して集光性を高めることができ、過剰拡散光、及び漏れ光による電飾図柄の輪郭線のぼけをある程度防止する効果が得られる。
しかし、図１１の電飾装置にあっては、透光材料から成る導光部材１０５を直接ベニヤ板の透光穴１０２内に嵌合させた構成を有しているに過ぎないため、ＬＥＤからの光が導光部材１０５内を通過する過程で導光部材周面から外部に漏出し、透光穴１０２の内壁により吸収されて減衰したり、導光部材の出射端面からの出射光の集光度が低下して過剰に拡散する傾向があった。このため、電飾図柄の輪郭線がぼけを起こす可能性が依然として残されていた。
【０００６】
次に、図１１中に符号１１５で示したのは導光部材１０５の内部に形成される気泡であり、この気泡１１５はポリカーボネイト等のプラスチック材料から成る導光部材を射出成形する際に成形金型のキャビティ内における樹脂圧力のバラツキ等に起因して形成されることが多々ある。しかし、内部に気泡１１５を有した導光部材の入射端面からＬＥＤ１１１の光を入射すると、図示のように電飾図柄１０３ａ中に気泡に起因して形成された黒い陰影が投影されるため、看者が違和感を感じる要因となり、この点の改善が従来から求められていた。
【特許文献１】実開平２−３９７８３号公報
【特許文献２】特開２００４−２０９０３９公報
【特許文献３】特開２００５−１５２１７９公報
【発明の開示】
【発明が解決しようとする課題】
【０００７】
本発明は上記に鑑みてなされたものであり、遊技盤面上における遊技状態の変化等の状況変化を視覚的に表現、報知したり、遊技進行上での電飾効果を図るために、遊技盤を構成するベニヤ板に形成した透光穴を介して光源からの光を前方に照射すると共に、この透光穴を塞ぐセルシートに電飾図柄を表示することによって透光穴の内側からの光源光によって電飾図柄を発光させるようにしたパチンコ遊技機において、透光穴の内壁による光の減衰や乱反射によって出射光が光量不足や光量バラツキや過剰拡散に陥ることによって電飾図柄の輪郭形状が不明瞭化する不具合を解決することができる電飾装置、及びパチンコ遊技機を提供することを目的としている。
【０００８】
更に、遊技盤面に形成した透光穴内に樹脂製の導光部材を嵌合配置し、この導光部材の入射面側から光源光を照射して導光部材の出射面側に近接配置したセルシートに形成した電飾図柄を発光させるように構成した場合に、樹脂製の導光部材を成形する際に内部に形成され易い気泡の存在に起因して電飾効果が低下するという不具合を解決することを目的としている。
【課題を解決するための手段】
【０００９】
上記目的を達成するため、請求項１の発明に係る電飾装置は、軸方向両端面に夫々入射面と出射面とを備えた透光材料から成る導光部材と、該導光部材を内部に収容する透光穴を貫通形成した基材、及び該基材前面に添設されたシート材を備えた遊技盤と、前記透光穴内に収容された前記導光部材の入射面に光を入射させる光源と、前記透光穴の出射側開口と対面する前記シート材部分に形成された透光性を有した電飾図柄と、を備えたパチンコ遊技機において、前記導光部材は、透光材料から成る導光部材本体と、該導光部材本体の出射面に設けられた所要形状の透光領域と、該透光領域を除いた該出射面、及び前記入射面を除いた他の外面を被覆する非透光領域と、を備え、前記非透光領域は、前記導光部材本体外面を被覆する反射層と、該反射層全体を被覆する遮光層と、を備えていることを特徴とする。
反射層によって導光部材本体内に入射された光を反射させて出射面に導き、出射光量、光度を高める一方で、反射層から漏出せんとする光を遮光層により遮光することにより出射光量を更に高めることができる。このため、シート材面に形成される電飾図柄がぼやけて視認されるという不具合が解消される。また、導光部材本体内に射出成形時に形成された気泡が存在する場合にも気泡を目立たなくすることができる。
【００１０】
請求項２の発明は、請求項１において、前記導光部材は、複数の前記導光部材本体と、各導光部材本体を連設一体化する透光材料から成る連設板と、該連設板の外側面を被覆する前記非透光領域と、前記各導光部材本体の入射面を除いた前記連設板の内側面を被覆する前記非透光領域と、を備えていることを特徴とする。
請求項３の発明は、請求項１又は２において、前記反射層は白色であり、前記遮光層は黒色であることを特徴とする。
請求項４の発明は、請求項１、２又は３において、前記反射層及び前記遮光層は、前記導光部材本体の外面に順次塗布された塗膜であることを特徴とする。
【００１１】
請求項５の発明は、請求項１乃至４の何れか一項において、前記導光部材本体の入射面、又は／及び、出射面には、光拡散層が配置されていることを特徴とする。
光拡散層の存在によって点光源としてのＬＥＤを用いた場合であっても、導光部材内部全体に入射光を拡散させて出射光量を均一化することができる。
請求項６の発明は、請求項１乃至５の何れか一項において、前記導光部材本体と前記透光穴内壁との間には低摩擦抵抗材料から成る介挿部材が配置されており、前記反射層、及び／又は、前記遮光層は、前記介挿部材の内壁に形成されていることを特徴とする。
塗膜等によって導光部材本体外面に非透光領域を形成する他に、別部材としての介挿部材により非透光領域を形成することが可能である。
【００１２】
請求項７の発明は、請求項１乃至５の何れか一項において、前記導光部材本体と前記透光穴内壁との間には低摩擦抵抗材料から成る介挿部材が配置されており、前記介挿部材を構成する材料自体が前記遮光層を構成していることを特徴とする。
請求項８の発明は、請求項６又は７において、前記導光部材本体は、前記透光穴の軸方向長よりも短尺な第１の導光片と、該第１の導光片の出射面に連設配置される第２の導光片と、を備え、前記第２の導光片の入射側端面、又は／及び、出射側端面には、光拡散層が配置されていることを特徴とする。
導光部材本体を複数の短尺な導光片から構成することにより、樹脂材料から成る導光部材本体を成形により形成する際における気泡発生率を低減できる。
【００１３】
請求項９の発明は、請求項５又は８において、前記光拡散層は、サンドブラス、ダイヤカット、或いはディンプルカットの少なくとも一つの加工法によって形成されていることを特徴とする。
請求項１０の発明は、請求項１乃至９の何れか一項において、前記導光部材は、その端面形状が前記電飾図柄の発光領域と略同等の形状、寸法に設定された筒状体から成る前記導光部材本体によって構成されていることを特徴とする。
導光部材自体の端面形状を電飾図柄の発光領域と同等の形状に設定すれば、構成を簡略化することができる。
請求項１１の発明は、請求項１乃至１０の何れか一項において、記各導光部材の入射面と夫々対向配置された光源と、各光源を支持するプリント基板と、を備えたことを特徴とする。
【００１４】
請求項１２の発明に係る遊技盤は、請求項１乃至１１の何れか一項に記載の電飾装置を備えたことを特徴とする。
請求項１３の発明に係るパチンコ遊技機は、請求項１２に記載の遊技盤を備えたことを特徴とする。
請求項１４の発明に係るパチンコ遊技機は、前記遊技盤面に形成した取付け孔内に嵌合される可変表示装置を支持するために前記遊技盤の裏面に固定される可変表示装置ベースを備えたパチンコ遊技機において、請求項１乃至１１の何れか一項に記載された電飾装置を構成するプリント基板を前記可変表示装置ベースにより支持したことを特徴とする。
【発明の効果】
【００１５】
以上のように本発明によれば、遊技盤面上における遊技状態の変化等の状況変化を視覚的に表現、報知したり、その他、遊技進行上での電飾効果を図るために、遊技盤面の遊技領域内に、背面側に配置した光源を発光させることにより初めてその存在が発光表示される電飾図柄を配置したパチンコ遊技機において、遊技盤を構成する基材に貫通形成した透光穴内に透光材料から成る導光部材を嵌合させて基材表面側に配置したセルシートに形成した電飾図柄に出射面を近接配置し、更に導光部材を構成する導光部材本体の出射面に設けた透光領域、及び入射面を除いた外面を非透光領域により被覆したので、光源光の大半が減衰、漏出することなく透光領域から電飾図柄に集中して照射される。このため、発光時に電飾図柄を構成する透光部、線図、輪郭線等がぼけて表現されることがなくなり、その存在を明確に視認することが可能となる。
【００１６】
非透光領域は、内側に反射層を、その外側に遮光層を順次配置した構成を備えているので、反射層によって入射した光を反射させて出射面側に集中させることができる。導光部材本体の内壁の反射率を高めることにより、光が周面から漏出して透光穴内壁により吸収される光量が減少する。更に遮光層により反射層からの光の漏出を防止することができる。このため、出射される光量の減少が大幅に低減される。
【００１７】
一方、導光部材本体をプラスチック材料にて構成し、射出成形により製造する場合、その内部に外観上無視できない程度に大きな気泡が残り、発光時には黒点状の陰影ができる。この陰影は、電飾図柄の看者にとって無視できない違和感を残すこととなる。本発明では、反射層と遮光層を順次積層した非透光領域により導光部材本体の適所を被覆したので、透光領域から出射される光量、光度が高くなるため気泡が形成する陰影が薄くなり、無視できる程度となる。
【００１８】
また、導光部材本体の入射面、或いは出射面にサンドブラスト等から成る光拡散層を設けたので、点光源であるＬＥＤ等からの入射光を導光部材内部で拡散させることができ、透光領域からの出射光を均一化することが可能となる。しかも、導光部材内部で光が拡散する結果として内部の気泡が陰影として視認され難くなる。
【発明を実施するための最良の形態】
【００１９】
以下、添付図面に基づいて本発明を詳細に説明する。
図１は本発明の一実施形態に係る電飾装置及び各種盤面部品を備えた遊技盤の正面図、図２（ａ）及び（ｂ）は、本発明の一実施形態に係る電飾装置を備えた遊技盤の正面図及び側面図であり、図３はこの遊技盤の背面側分解斜視図であり、図４（ａ）及び（ｂ）は電飾装置の拡大断面図、及び要部拡大図である。
本発明の電飾装置を備えた遊技盤１は、パチンコ遊技機に装備される。パチンコ遊技機は周知のように図示しない機枠と、機枠に対して蝶番によって一側端縁を前後方向へ開閉自在に軸支された前面枠と、前面枠によって前後方向へ開閉自在に軸支されたガラス扉と、前面枠の内側に着脱自在に取り付けられた遊技盤１と、遊技盤１の背面側に蝶番を介して開閉自在に取り付けられた合成樹脂製の機構板と、を備えている。
【００２０】
遊技盤１は、合板、樹脂板、その他の任意の材料からなる基材２上に直接又は間接的にセルシート（シート材）３を貼着した構成を備えている。遊技盤１の前面には流下する遊技球の動作に変化を与えたり、流下方向をガイドするための図示しない遊技釘が植設されている。
遊技盤１の前面を覆うガラス扉の下方には、発射レールや打球杆を覆うように前板が開閉可能に取り付けられ、前板の前面には打球供給皿が設けられる。前面枠の下部には、遊技球発射装置の一部を構成する遊技球発射ハンドルが配置されると共に、打球供給皿上に貯留し切れなくなった遊技球やファール球を貯留する下皿が配置されている。
遊技盤１の前面を構成する遊技領域１０には、例えば中央部１１に複数の図柄を順次上下に移動（回動）させながら表示する可変表示装置（例えば、液晶表示装置）が配置され、その周囲には入賞口１２、風車１３などの盤面部品、遊技釘が配置される。
遊技盤１の左側縁には、遊技機の下部に配置された遊技球発射装置から発射された遊技球を遊技領域１０内に導くための遊技球誘導経路１４が上下方向へ延びて形成されている。
【００２１】
図２（ａ）に示すように遊技盤１の適所、例えば遊技領域１０内に小さい丸形で示した各所には透光穴１５が貫通形成されている。なお、この例では透光穴１５を円形状に構成したが、これは一例に過ぎない。
本発明では、遊技盤１を構成する基材２に貫通形成した各透光穴１５に相当する部位に電飾装置２０を配置している。
この電飾装置２０は、基材２に貫通形成された透光穴１５内に配置され、軸方向両端面に夫々入射面２１ａと出射面２１ｂを備えた透光材料から成る導光部材２１と、透光穴１５内に収容された導光部材２１の入射面２１ａに光を入射させるＬＥＤ、フィラメントランプ等の光源３０と、透光穴１５の出射側開口と対面するセルシート部分に形成された透光性を有した電飾図柄３ａと、を備えている。光源３０はプリント基板３１によって支持されている。プリント基板３１は遊技盤裏面にネジ止めしてもよいし、後述するように他の盤面部品を取り付けるためのベースを利用して固定してもよい。
【００２２】
導光部材２１の出射面とセルシート３との間にギャップがある場合には電飾図柄３ａを形成したセルシート部分が弛みを起こして凹状に陥没したり前後動する虞があるので、導光部材出射面とセルシート裏面とを密着させるのが好ましい。また、セルシート裏面に導光部材の出射面が接触していることにより、輪郭線を明瞭に再現させる効果を期待できる。ただ、実際には、シート材と導光部材の出射面との間に０．５ｍｍ程度の隙間を設けることにより、導光部材を透光穴内に組み付けた際の組付け誤差、部品寸法誤差等によって導光部材がセルシートを突出させる、或いは突き抜けるという不具合を防止している。
【００２３】
図４（ａ）の縦断面図（及び要部平面図）、及び（ｂ）の要部拡大図に示すように、導光部材２１は、透光材料（透明材料、半透明材料等を含む）から成る円筒状の導光部材本体２２と、導光部材本体２２の出射面２２ｂに設けられた所要形状の透光領域２３と、透光領域２３を除いた出射面２２ｂ、及び入射面２２ａを除いた他の外面を被覆する非透光領域２４と、を備えている。非透光領域２４は、導光部材本体外面に接する反射層２５と、反射層２５全体を被覆する遮光層２６と、を備えている。透光領域２３の形状は、導光部材本体２２の円形の出射面内に任意の形状、線図を描くように構成しても良いし、導光部材本体の円形の出射面全体を露出させるように構成してもよい。
【００２４】
導光部材２１は例えばポリカーボネイト等の透光性樹脂材料から構成し、反射層２５は例えば反射率の高い白色のウレタン塗料、遮光層２６は遮光率の高い黒色のウレタン塗料から構成した塗膜とする。この際、透光領域２３や入射面２１ａをマスクしながらの塗装を実施することとなる。
導光部材本体２２の出射面２２ｂの一部、及び外周面を被覆する反射層２５は、入射面２２ａから導光部材本体２２内に入射した光源３０からの光を反射させて集光し、減衰させることなく透光領域２３から電飾図柄３ａに向けて照射させるための機能を発揮する。
反射層２５の外面に被覆された遮光層２６は、反射層２５を透過する漏れ光を遮蔽することにより透光領域２３から電飾図柄３ａへ向けて出射する光量、光度を高める。
【００２５】
なお、導光部材本体２２の入射面２２ａ、及び／又は、出射面２２ｂを、サンドブラスト加工等により粗面化（微細な凹凸加工）することにより、光源としてＬＥＤ等の点光源を用いた場合であっても、導光部材本体内に光を拡散させることが可能となり、透光領域２３から出射される光量を均一化することが可能となる。出射光量が均一化することにより、電飾図柄に照射される光量を均一化することができ、その結果、電飾図柄中の透光部分が発光することにより視認される図柄像がぼける不具合を防止できる。
【００２６】
このように本発明の電飾装置２０においては、透光材料から成る導光部材本体２２を基材２に設けた透光穴１５内に嵌合配置して導光部材本体２２の出射面２２ｂを照明対象物としての電飾図柄３ａに近接配置させるだけでなく、透光領域２３と入射面２２ａを除いた導光部材本体２２の外面に、反射層２５と遮光層２６を順次積層して成る非透光領域２４を設けたので、入射光を反射層２５により反射させて減衰を低減し、更に反射層２５からの漏れ光を遮光層２６により防止したので、透光領域２３から電飾図柄３ａへ向けて出射される光量を高め、且つ集光度を高めることができ、電飾図柄３ａを構成する線図、輪郭線等がぼけた状態で視認される不具合を防止できる。
【００２７】
即ち、本発明の電飾装置では、光源３０を発光させていない状態では、セルシート３を前面から目視する限り光源や透光穴や電飾図柄の存在を確認できない一方で、光源を発光させることにより突如として電飾図柄３ａが発光（図柄中の透光部分を光が透過）して浮き上がって見える演出効果を狙っているため、導光部材２１からの出射光量、出射集光度、光の均一性が低下すると上記演出効果が著しく減殺されるが、上記の如き非透光領域２４を設けた構成としたので、狙いの演出効果を発揮することができる。
【００２８】
なお、図３の分解斜視図に示すように本発明の電飾装置２０を構成する導光部材２１は、複数の導光部材本体２２を同じ透光材料から成る連設板２７により一体化した導光ユニットＵとするのが好ましい。この際、連設板２７の外側面（セルシート側面）には反射層２５と遮光層２６を順次積層した非透光領域２４を導光部材本体外面の非透光領域２４と連続して形成し、更に各導光部材本体の入射面２２ａを除いた連設板２７の内側面にも同様の構成を有した非透光領域２４を形成する。これにより、入射面２１ａから連設板２７内に進入した光の外部への漏れ出しを防止して透光領域２３からの出射光量、光度を高めることができる。
【００２９】
なお、反射層２５は白色、ミラー材、その他の反射光量を高める材質、構成であればよく、遮光層２６は黒色、その他、遮光光量を高める材質、構成であればよい。従って、反射層２５、及び遮光層２６は、必ずしも塗料を塗布することによって形成した塗膜である必要はない。例えば、反射層２５と遮光層２６を積層一体化したシート状の部材を導光部材本体２２の外面、或いは透光穴１５の内壁等々に添設固定することによって非透光領域２４を形成してもよい。
【００３０】
即ち、図５（ａ）乃至（ｄ）は本発明の他の実施形態に係る電飾装置の要部縦断面図、分解斜視図、介挿部材ユニットの正面図、及び裏面図であり、この電飾装置２０は、導光部材本体２２と透光穴１５の内壁との間に低摩擦抵抗材料から成る介挿部材４０を配置した構成を備えており、反射層２５と遮光層２６のうちの少なくとも一方が介挿部材４０の内壁に形成されている。即ち、この実施形態では、導光部材本体２２、及び基材２とは別部材であって、導光部材本体２２をスムーズに着脱するのに適した低摩擦材料から成る別部材としての介挿部材４０を、非透光領域２４を形成する部材として用いることにより導光部材本体２２に対して非透光領域２４を塗装、接着等によって形成する手数を削減している。また、介挿部材４０を軟質の材料にて構成することにより、導光部材本体との密着性を高めることができる。
【００３１】
例えば、介挿部材４０の少なくとも内壁面を遮光性黒色の樹脂、ゴム等から構成することによって遮光層２６とする共に、この介挿部材４０の内壁面に反射層２５を形成することによって、介挿部材４０に非透光領域２４を形成した構成としてもよいし、或いは介挿部材４０の材質自体を遮光材料により構成すると共に、反射層２５を導光部材本体２２の外面に形成してもよい。
介挿部材４０は個々の導光部材本体２２をその内部に嵌合し得るように中空円筒状に構成されると共に、筒状体である個々の介挿部材４０は連設板４１によって連設一体化されることにより介挿部材ユニットを構成している。図５（ｄ）に示すように各介挿部材４０の開口部４０ａの周縁には回り止め用の小切欠き４０ａ’を設けると共に、この開口部４０ａ内に嵌合される導光部材本体２２にはこの小切欠き４０ａ’に嵌合する小突起２２’を設けて回り止めとしている。
【００３２】
次に、図６（ａ）及び（ｂ）は介挿部材を使用した電飾装置の他の実施形態の要部縦断面図、及び分解斜視図である。
この実施形態に係る電飾装置が図５の電飾装置と異なる点は、導光部材２１が個々の独立した導光部材本体２２によって構成されている訳ではなく、第１の実施形態と同様に同材料から成る連設板２７により一体化された構成を有している点にある。複数の導光部材本体２２を連設板２７により一体化したことにより、ユニット化された各介挿部材４０の開口内に導光部材本体２２を嵌合させる作業を一括に行うことができ、また回り止めのための小切欠き４０ａ’や小突起２２’を形成する手数が省略できる。
【００３３】
次に、導光部材本体２２をポリカーボネイト等の樹脂材料にて構成した場合には、射出成形時に成形金型内のキャビティ内に充填される溶融樹脂材料の内圧のバラツキによって、導光部材本体内に気泡Ａが形成される。背景技術の欄において説明したように、光源光が導光部材本体内に入射した際にその光路に気泡が存在すると、遊技盤面側から見た場合に電飾図柄中に黒点状の陰影が存在することが視認されやすいため、気泡を除去するための高コストの成形方法が種々提案されているが、成形コストを抑えた場合には気泡が残留した導光部材本体が製造され易くなる。
このような不具合に対処する手法としては、例えば導光部材本体２２の入射面２２ａ、又は／及び、出射面２２ｂをサンドブラスト加工により粗面化したり、ダイヤカット、ディンプル加工によって凹凸を形成することにより、導光部材本体内部での光の拡散を促進させて、透光領域２３から出射されて電飾図柄３ａに投影される光像中に気泡が目立たなくなるようにする方法を提案することができる。
【００３４】
次に、図７（ａ）は本発明の一実施形態に係る電飾装置の詳細な構成例を示す断面図であり、（ｂ）はその分解斜視図である。この実施形態では、気泡Ａが存在する導光部材本体を使用した電飾装置において、光源からの出射光によって電飾図柄を発光させた場合であっても、遊技盤面側から見た場合に電飾図柄中に気泡Ａの存在を視認しにくくする他の構成例を提案する。
この実施形態に係る電飾装置２０に係る導光部材２１は、導光部材本体２２を透光穴１５の軸方向長よりも短尺な第１の導光片５０と、第１の導光片５０の出射側端面５０ｂに連設配置される第２の導光片５５と、から構成している。即ち、導光部材本体２２を軸方向に２分割した構成としている。
【００３５】
第１の導光片５０は同材質から成る連設板２７により一体化され、連設板２７の下面適所には必要に応じて塗膜などから成る非透光領域２４を形成する。
また、第１及び第２の導光片５０、５５の外周面、及び第２の導光片５５の出射側端面５５ｂには介挿部材４０から成る非透光領域２４が形成されている。
また、第１、及び第２の導光片５０、５５の入射側端面５０ａ、５５ａ、又は／及び、出射側端面５０ｂ、５５ｂには、必要に応じて光拡散層６０が配置されている。光拡散層６０は、サンドブラスト加工、ダイヤカット加工、或いはディンプルカット加工等によって各端面に微小な凹凸を形成した構成を備え、各導光片５０、５５内部での光の拡散を促進して気泡を目立たなくする役割を発揮する。
【００３６】
また、気泡は導光部材本体の中心部に形成される傾向が強いため、この気泡が投影された黒点を電飾図柄の一部として利用できる場合には気泡が積極的に投影されるように構成すればよい。
なお、導光部材本体を、短尺化した２つの導光片５０、５５から構成したことにより、射出成形により製造する際に何れの導光片中にも気泡が発生しにくくなるという気泡発生防止効果も期待できる。
【００３７】
次に、図８は本発明の電飾装置の他の構成例の要部構成を示す分解斜視図である。
前記実施形態では、合板等の基材２に形成した円筒状の透光穴１５内に円筒状の導光部材２１を嵌合した構成例を示したが、導光部材を構成する導光部材本体２２を、その端面形状が電飾図柄の発光領域と略同等の形状、寸法に設定された筒状体として構成してもよい。
即ち、この実施形態に係る導光部材本体２２は、セルシート３側の電飾図柄３ａの発光領域（この例では星形）と同等の端面形状を有した筒状体として構成されており、この導光部材本体２２の入射面２２ａ及び出射面２２ｂを除いた外面には非透光領域２４となる反射層２５、及び遮光層２６が形成、或いは配置されている。なお、図５に示した介挿部材４０を利用した構成としてもよい。
【００３８】
この例では、基材２に形成する透光穴１５の形状をも導光部材２１の端面形状と整合する形状としているが、透光穴１５は導光部材の端面形状と異なる形状、例えば円形、楕円形、矩形等々、任意の形状であってもよい。
このように導光部材２１の少なくとも出射面の端面形状を電飾図柄の発光領域と同等の形状、寸法に設定し、外周面のみを反射層と遮光層とで被覆するので、各層を塗膜により形成する場合には、複雑な形状のマスクを用いることなく、入射面２１ａと出射面２１ｂを単に塞いだだけの状態での塗装により各層を順次形成することができる。
【００３９】
次に、図９はプリント基板と可変表示装置ベースの構成を示す背面側分解斜視図、図１０はこの可変表示装置ベースの正面図である。
図２（ｂ）に示すように遊技盤１の裏面側から本発明の電飾装置を取り付ける際には、遊技盤に対して導光ユニットＵを取り付けてから、ＬＥＤから成る光源３０を前面に保持したプリント基板３１を遊技盤裏面に固定することにより電飾装置を固定するが、この例はプリント基板３１を遊技盤裏面に固定する手段として可変表示装置ベース７０を兼用している点が特徴的である。
【００４０】
可変表示装置ベース７０は遊技盤裏面にネジ等により固定されることにより、遊技盤中央部１１に設けた取付け孔内に裏面側から嵌合配置される図示しない可変表示装置（液晶表示装置）を支持する手段であるが、本発明ではこの可変表示装置ベース７０に設けた可変表示装置支持穴７１の外周領域７２内に、プリント基板３１を支持するスペースを確保している。この外周領域７２内に各プリント基板３１を嵌合配置してから透明な基板カバー３２を各プリント基板３１の前面に被せ、この状態で遊技盤裏面に可変表示装置ベース７０をネジ止め固定することにより、プリント基板専用の取付け部材、取付けスペースを別途確保することなく、電飾装置、及び可変表示装置の取り付けが一挙に完了する。
【００４１】
以上のように本発明の各実施形態によれば、合板等から成る基材に形成した透光穴の内壁による光の減衰や乱反射によって出射光が光量不足や過剰拡散に陥ることによって電飾図柄の輪郭形状が不明瞭化するという不具合を解決することができる。
更に、遊技盤面に形成した透光穴内に樹脂製の導光部材を嵌合配置し、この導光部材の入射面側から光源光を照射して導光部材の出射面側に近接配置したセルシートに形成した電飾図柄を発光させるように構成した場合に、樹脂製の導光部材を成形する際に内部に形成され易い気泡の存在に起因して電飾効果が低下するという不具合を解決することができる。
【図面の簡単な説明】
【００４２】
【図１】本発明の一実施形態に係る電飾装置及び他の盤面部品を備えた遊技盤の正面図である。
【図２】（ａ）及び（ｂ）は本発明の一実施形態に係る電飾装置を備えた遊技盤の正面図、及び側面図である。
【図３】本発明の遊技盤の背面側分解斜視図である。
【図４】（ａ）及び（ｂ）は本発明の他の実施形態に係る電飾装置の拡大断面図、及び要部拡大図である。
【図５】（ａ）乃至（ｄ）は他の実施形態に係る電飾装置の要部縦断面図、分解斜視図、介挿部材ユニットの正面図、及び裏面図である。
【図６】（ａ）及び（ｂ）は介挿部材を使用した電飾装置の他の実施形態の要部縦断面図、及び分解斜視図である。
【図７】（ａ）は本発明の一実施形態に係る電飾装置の詳細な構成例を示す断面図、（ｂ）はその分解斜視図である。
【図８】本発明の電飾装置の他の構成例の要部構成を示す分解斜視図である。
【図９】プリント基板と可変表示装置ベースの構成を示す背面側分解斜視図である。
【図１０】可変表示装置ベースの正面図である。
【図１１】従来例に係る電飾装置の構成を示す断面図である。
【符号の説明】
【００４３】
１…遊技盤、２…基材、３ａ…電飾図柄、１０…遊技領域、１１…遊技盤中央部、１２…入賞口、１５…透光穴、２０…電飾装置、２１…導光部材、２１ａ…入射面、２１ｂ…出射面、２２…導光部材本体、２２’…小突起、２２ａ…入射面、２２ｂ…出射面、２３…透光領域、２４…非透光領域、２５…反射層、２６…遮光層、２７…連設板、３…セルシート、３０…光源、３１…プリント基板、３２…基板カバー、４０…介挿部材、４０ａ…開口部、４１…連設板、５０…導光片、５０、５５…導光片、５０ａ…入射側端面、５０ｂ…出射側端面、５５…導光片、５５ｂ…出射側端面、６０…光拡散層、７０…可変表示装置ベース、７１…可変表示装置支持穴、７２…外周領域。
【図１】
2008043453.tif 000003
【図２】
2008043453.tif 000004
【図３】
2008043453.tif 000005
【図４】
2008043453.tif 000006
【図５】
2008043453.tif 000007
【図６】
2008043453.tif 000008
【図７】
2008043453.tif 000009
【図８】
2008043453.tif 000010
【図９】
2008043453.tif 000011
【図１０】
2008043453.tif 000012
【図１１】
2008043453.tif 000013